(57)【特許請求の範囲】
【請求項１】
平板状をしたプレキャストコンクリート版本体の下面に架け渡し方向に向けたリブが一体に突設され、両端を床支持用の梁間に掛け渡し、上面に場所打ちコンクリートを打設することにより合成床版を構成する合成床版用リブ付プレキャストコンクリート版において、
前記プレキャストコンクリート版本体の端部に、前記リブ相互間及び又はリブからプレキャストコンクリート版本体側縁部下の空間を閉鎖させるためのふさぎ型枠が、該プレキャストコンクリート版本体の延長方向に向けて一体に成形され、
前記ふさぎ型枠とプレキャストコンクリート版本体とに跨らせて連結筋が埋設され、
該ふさぎ型枠と前記プレキャストコンクリート版本体との境界部分には、その下面に断面が逆さＶ字状の凹溝が形成されていて、該記境界部分のコンクリートを破壊して前記連結筋が折り曲げられるようになっているとともに、該折り曲げにより前記逆さＶ字状の凹溝が閉じられてふさぎ型枠が下向きの所定の角度に折り曲げられるようになっており、
前記ふさぎ型枠を、プレキャストコンクリート版本体との境界部分から下側に折り曲げることによって、該ふさぎ型枠により前記リブ相互間及び又はリブからプレキャストコンクリート版本体側縁部下の空間の端部が閉鎖されるようになっていることを特徴とする合成床版用リブ付プレキャストコンクリート版。
【請求項２】
前記境界部分の上面に、折り曲げ用の凹溝が形成されている請求項１に記載の合成床版用リブ付プレキャストコンクリート版。
【発明の詳細な説明】
【技術分野】
【０００１】
本発明は、リブ付プレキャストコンクリート版と、その上に打設した場所打ちコンクリートによって構成される合成床版に使用する合成床版用リブ付プレキャストコンクリート版に関する。
【背景技術】
【０００２】
従来、建築物の床を構築する場合に、工場や現場近辺の製作ヤードにて作成されたプレキャストコンクリート版を床支持用の先に架設した梁間又は場所打ちによる梁構成部分間に掛け渡し、その上に場所打ちのトップコンクリートを打設することにより合成床版とする工法が広く知られている。
【０００３】
この種の合成床版に使用されるプレキャストコンクリート版は、ＲＣ部材又はＰＣ部材によって構成され、図１０〜図１２に示すように、強度及び剛性を高める必要から平板状のプレキャストコンクリート版本体１の下面に、断面Ｔ型配置にリブ２，２（小梁）を一体に備えたリブ付プレキャストコンクリート版３が多く使用されている（例えば特許文献１）。
【０００４】
この種のリブ付プレキャストコンクリート版３を使用した合成床版は、プレキャストコンクリート版本体１の端部に下面にリブのない架設部４が延長配置に一体成形されたものを使用している。
【０００５】
そしてこのリブ付プレキャストコンクリート版３を支承するための梁が鋼製である場合には、図１３に示すように、前記架設部４を鋼製梁５の上面に支持させた支承構造とし、また同梁が場所打ちコンクリート梁である場合には、図１４に示すように梁６の上部に挿入した状態で、梁６及び床版用のトップコンクリート７を打設することによって架設部４を梁６に貫入させた支承構造としている。
【０００６】
しかし、上記のようにプレキャストコンクリート版本体を延長させた架設部４を設けたプレキャストコンクリート版は、架設部４の下面にリブの無い部分を形成する必要があるとともに、架設部の上面には局部応力に対応するための補強肉盛８を備える必要がある等、形状が複雑となり製造時に多くの手数を要する等の要因からコスト高となるという問題があった。
【０００７】
そこで、近年において、図１５に示すように、下面にリブの無い架設部を設けず、全長に亘ってリブを形成したリブ付プレキャストコンクリート版３を使用し、図１６示す如き、場所打ちコンクリートによる梁６に対し、リブ２ごと貫入させた支承構造や、図には示してないがリブ２の下面を鋼製梁の上面に支持させるようにした支承構造が採用されている。
【先行技術文献】
【特許文献】
【０００８】
【特許文献１】特開昭６２−２９６０３９号公報
【発明の概要】
【発明が解決しようとする課題】
【０００９】
上述した図１５、図１６に示したリブの端部まで鋼製梁上やコンクリート梁内に直接支持させようとする場合、プレキャストコンクリート版の端部下面のリブ間やリブからプレキャストコンクリート版本体の側縁部までの間の空間を、図１６、図１７に示すように、例えば面戸板の如きふさぎ型枠９によって閉鎖する型枠作業が必要となり、しかもこの空間は、リブ断面が、下側が細いテーパー状であったり、根本の外面、即ちプレキャストコンクリート版本体とリブとの境界部分の外面にアールを付した形状であったりするものであるため、これらの空間を閉じるためのふさぎ型枠の設置作業が面倒なものとなる。
【００１０】
本発明は、このような従来の問題に鑑み、リブ付プレキャストコンクリート版端部下のリブ間の空間をふさぐための現場での型枠設置作業が、従来に比べて容易となる合成床版用リブ付プレキャストコンクリート版の提供を目的としてなされたものである。
【課題を解決するための手段】
【００１１】
上記の目的を達成するための請求項１に記載の発明の特徴は、平板状をしたプレキャストコンクリート版本体の下面に架け渡し方向に向けたリブが一体に突設され、両端を床支持用の梁間に掛け渡し、上面に場所打ちコンクリートを打設することにより合成床版を構成する合成床版用リブ付プレキャストコンクリート版において、
前記プレキャストコンクリート版本体の端部に、前記リブ相互間及び又はリブからプレキャストコンクリート版本体側縁部下の空間を閉鎖させるためのふさぎ型枠が、該プレキャストコンクリート版本体の延長方向に向けて一体に成形され、前記ふさぎ型枠とプレキャストコンクリート版本体とに跨らせて連結筋が埋設され、該ふさぎ型枠と前記プレキャストコンクリート版本体との境界部分には、その下面に断面が逆さＶ字状の凹溝が形成されていて、該記境界部分のコンクリートを破壊して前記連結筋が折り曲げられるようになっているとともに、該折り曲げにより前記逆さＶ字状の凹溝が閉じられてふさぎ型枠が下向きの所定の角度に折り曲げられるようになっており、前記ふさぎ型枠を、前記プレキャストコンクリート版本体との境界部分から下側に折り曲げることによって、該ふさぎ型枠により前記リブ相互間及び又はリブからプレキャストコンクリート版本体側縁部下の空間の端部が閉鎖されるようになっていることにある
【００１２】
請求項２に記載の発明の特徴は、請求項１の構成に加え、前記境界部分の上面に、折り曲げ用の凹溝が形成されていることにある。
【発明の効果】
【００１３】
本発明においては、請求項１に記載のように、平板状をしたプレキャストコンクリート版本体の下面に架け渡し方向に向けたリブが一体に突設された合成床版用リブ付プレキャストコンクリート版であって、前記プレキャストコンクリート版本体の端部に、前記リブ相互間及び又はリブからプレキャストコンクリート版本体側縁部下の空間を閉鎖させるためのふさぎ型枠が、延長方向に向けて一体に成形され、該ふさぎ型枠を、前記プレキャストコンクリート版本体との境界部分から下側に折り曲げることによって、該ふさぎ型枠により前記リブ相互間及び又はリブからプレキャストコンクリート版本体側縁部下の空間の端部が閉鎖されるようにしたことにより、前記ふさぎ型枠は、リブ付プレキャストコンクリート版の製造時に一体に形成しておくことが容易であり、そのリブ付プレキャストコンクリート版の使用時に、端部にできるリブ間の空間が、ふさぎ型枠を折り曲げる作業にて前記空間を閉鎖することができ、従来行っていた面戸板設置の如き型枠工が不要となって現場作業を少なくできる。
【００１４】
また本発明は、前記ふさぎ型枠とプレキャストコンクリート版本体とに跨らせて連結筋が埋設され、前記境界部分のコンクリートを破壊して前記連結筋が折り曲げられるようにしたことにより、ふさぎ型枠のプレキャストコンクリート版本体に対する一体化が容易であり、しかも連結筋が蝶番の役目を果たすこととなり、特別な折り曲げのための部材を備えておく必要がなく、廉価にて製造できる。
【００１５】
更に本発明は、前記境界部分には、その下面に断面が逆さＶ字状の凹溝が形成され、前記折り曲げにより前記逆さＶ字状の凹溝が閉じられてふさぎ型枠が下向きの所定の角度に折り曲げられるようにしたことにより、折り曲げ部分の折り曲げ後における隙間が小さくなり、隙間を埋める作業が不要か或は少ないものとなり、手作業による隙間埋め作業が省力化される。
【００１６】
本発明は、請求項２に記載の発明のように、前記境界部分の上面に、折り曲げ用の凹溝が形成されていることにより、折り曲げ時に破壊されるコンクリート部分の厚さが小さくなり、折り曲げ作業が容易となる。
【図面の簡単な説明】
【００１７】
【図１】本発明に係る合成床版用リブ付プレキャストコンクリート版の端部の平面図である。
【図２】同上の側面図である。
【図３】同正面図である。
【図４】同斜め下側からの斜視図である。
【図５】図１に示す合成床版用リブ付プレキャストコンクリート版のふさぎ型枠を折り曲げた状態を示す斜め下側から斜視図である。
【図６】ふさぎ型枠折り曲げ前の状態の部分断面図である。
【図７】ふさぎ型枠を折り曲げた状態を示す断面図である
【図８】本発明に係る合成床版用リブ付プレキャストコンクリート版の他の例の部分正面図である。
【図９】同平面図である。
【図１０】従来の合成床版用リブ付プレキャストコンクリート版の一例の平面図である。
【図１１】同側面図である。
【図１２】同正面図である。
【図１３】図１０に示す合成床版用リブ付プレキャストコンクリート版の使用状態の一例を示す断面図である。
【図１４】同使用状態の他の例を示す断面図である。
【図１５】従来の合成床版用リブ付プレキャストコンクリート版の他の例を示す斜め下側からの斜視図である。
【図１６】同上の使用状態の一例を示す縦断側面図である。
【図１７】同縦断正面図である。
【発明を実施するための形態】
【００１８】
次に、本発明の実施の態様を、図面に基づいて説明する。図１〜図７は本発明に係る合成床版用リブ付プレキャストコンクリート版の一例を示している。このリブ付プレキャストコンクリート版１１（以下リブ付ＰＣａ版１１と記す）は、矩形形状をした平板状のプレキャストコンクリート版本体（以下ＰＣａ版本体と記す）１２と、該ＰＣａ版本体１２の下面に全長に一体に形成したリブ１３，１３と、ＰＣａ版本体１２の端部に、その延長方向に向けて一体に形成したふさぎ型枠１４，１４，１５とから構成されている。このふさぎ型枠１４，１４，１５は、ＰＣａ版本体１２の端部のリブ１３，１３の無い部分に一体化されている。
【００１９】
ＰＣａ版本体１２及びリブ１３，１３内には、それぞれ必要な配置に必要な量の鉄筋が埋設されているとともに、ＰＣａ版本体１２の上面には後述するトップコンクリートと一体化させるためのジベル筋（図示せず）が必要に応じ突設される。
【００２０】
各ふさぎ型枠１４，１４，１５内には、図６、図７に示すように、ＰＣａ版本体１２内に跨らせた連結用鉄筋１７が埋設されている。この連結用鉄筋１７は、前述したＰＣａ版本体１２内の長さ方向側に向けた鉄筋の一部を長くしておき、これをＰＣａ版本体１２内に埋設することによって、ふさぎ型枠１４，１４，１５とＰＣａ版本体１２とに跨らせた配置としてもよく、ＰＣａ版本体１２用の鉄筋とは別に、これより細径の連結専用ものを使用してもよい。
【００２１】
ふさぎ型枠１４，１４は、ＰＣａ版本体１２の下面のリブ１３からＰＣａ版本体側縁部下の空間の断面形状に合わせた形状となっており、また、ふさぎ型枠１５は、リブ１３，１３間の空間の断面形状に合わせた形状となっている。
【００２２】
このふさぎ型枠１４，１４，１５と、ＰＣａ版本体１２との境界部分には、その部分のコンクリートを破壊して折り曲げることができるようにした折り曲げ部２０が形成されている。
【００２３】
この折り曲げ部２０は、前記境界部分の下面に形成した断面が逆さＶ字形の凹溝（ノッチ）２１と、該境界部分の上面に形成した凹溝（ノッチ）２２とから構成されており、下面側の凹溝２１のＶ字形の角度は９０度となっている。
【００２４】
何れの凹溝２１，２２とも本例では連結用鉄筋１７に達しない深さに形成され、両凹溝２１，２２間に連結用鉄筋１７が通された薄肉部が形成されている。尚、下側の凹溝２１は、連結用鉄筋１７に達する深さに形成してもよい。
【００２５】
このように構成される合成床版用リブ付プレキャストコンクリート版１１は、図１６、図１７に示したように床版支持用の場所打ちコンクリート梁６部分又は鋼製梁に架け渡す際に、図５、図７に示すように、ふさぎ型枠１４，１４，１５を各折り曲げ部２０から下側に折り曲げる。
【００２６】
これによってＰＣａ版本体１２の下面のリブ１３からＰＣａ版本体側縁部下の空間及びリブ１３，１３間の空間、即ちリブ１３，１３の高さ分のＰＣａ版本体１２端部下の空間を閉鎖する。これによって型枠工によるリブ間の空間の閉鎖作業が不要となる。
【００２７】
尚、リブ１３の外面及びＰＣａ版本体１２の下面と、ふさぎ型枠１４，１４，１５との間の隙間は、適宜の目地材によって埋めることによってトップコンクリート打設時のモルタル成分の漏れを防止する。
【００２８】
このようにしてリブ付ＰＣａ版１１の端部を、図１６に示した従来例と同様に梁６用の型枠３１内に挿入し、支保工３２をもって下面を支持させた状態で、梁３０部分と連続したトップコンクリート７を打設して合成床版を形成する。
【００２９】
尚、この例では梁６内にリブ付ＰＣａ版１１の端部を埋設した、いわゆる飲み込みタイプについて説明したが、この他、リブ付ＰＣａ版１１が梁６に対して突合せ配置となる構造であってもよい。
【００３０】
また、上述した例では、場所打ちコンクリートによる梁６に支持させる場合を示したが、鋼梁に支持させる場合においても同様に、ふさぎ型枠１４，１４，１５を各折り曲げ部２０から下側に折り曲げ、ＰＣａ版本体１２の下面のリブ１３からＰＣａ版本体側縁部下の空間及びリブ１３，１３間の空間、即ちリブ１３，１３の高さ分のＰＣａ版本体１２端部下の空間を閉鎖した状態として使用することができる。
【００３１】
上述した例では、リブ１３，１３の断面形状が逆さ台形である場合を示しているが、図８、図９に示すようにリブ１３，１３の側面とＰＣａ版本体１２底面との間が凹型曲面（アール）４０となっている場合には、折り曲げられた際にこれに対応するふさぎ型枠１４，１４，１５の側面に、前記凹型曲面４０に嵌り合う凸型曲面４１を形成しておくことによって、前述と同様にＰＣａ版本体１２端部下のリブ１３，１３間の空間を閉鎖させることができる。
【符号の説明】
【００３２】
１１  リブ付プレキャストコンクリート版（リブ付ＰＣａ版）
１２  プレキャストコンクリート版本体（ＰＣａ版本体）
１３  リブ
１４，１５  ふさぎ型枠
１７  連結用鉄筋
２０  折り曲げ部
２１，２２  凹溝
３１  型枠
３２  支保工
４０  凹型曲面
４１  凸型曲面
【図１】
0006459118.tif 000002
【図２】
0006459118.tif 000003
【図３】
0006459118.tif 000004
【図４】
0006459118.tif 000005
【図５】
0006459118.tif 000006
【図６】
0006459118.tif 000007
【図７】
0006459118.tif 000008
【図８】
0006459118.tif 000009
【図９】
0006459118.tif 000010
【図１０】
0006459118.tif 000011
【図１１】
0006459118.tif 000012
【図１２】
0006459118.tif 000013
【図１３】
0006459118.tif 000014
【図１４】
0006459118.tif 000015
【図１５】
0006459118.tif 000016
【図１６】
0006459118.tif 000017
【図１７】
0006459118.tif 000018